(57)【要約】【課題】工事中に地震が発生しても安全を確保できる連絡橋の切断改修方法を提供する。【解決手段】連絡橋を切断して長さを修正するにあたり、切断予定位置のコンクリート床３を幅方向中央部側が残された状態にはつり取って、橋桁用大梁鉄骨１の上フランジを露出させ、切断予定位置両側の上フランジ間に振れ止め14を取り付け、大梁鉄骨の切断予定位置の両側部を仮受構台に仮受ジャッキ16で支持させ、この状態で大梁鉄骨を切断する一方、切断位置の両側に位置する大梁鉄骨のウエブにガイドプレート18を取り付け、両側の大梁鉄骨を水平ジャッキ19で連結した状態で、残しておいた中央部側コンクリート床3aをはつり取り、しかる後、水平ジャッキで切断された大梁鉄骨の引寄せ又は引離しを行い、ガイドプレートの撤去後、両側の大梁鉄骨をスプライスプレート21等を介してボルト連結すると共に、水平ジャッキを撤去し、両側の大梁鉄骨の溶接後、振れ止めを撤去する。【選択図】図７
2008169552.tif 000002
【特許請求の範囲】
【請求項１】
建造物間に架設された連絡橋を切断し、切断された連絡橋を長さ方向に移動させた後、再接続して、連絡橋の長さを修正する連絡橋の切断改修方法であって、切断された状態においても切断前と略同等な強度を維持できるように、連絡橋の切断予定位置の近くを支持しつつ切断から再接続までの工程を行うことを特徴とする建造物間の距離が変化した連絡橋の切断改修方法。
【請求項２】
建造物間に架設された連絡橋を切断し、切断された連絡橋を長さ方向に移動させた後、再接続して、連絡橋の長さを修正する連絡橋の切断改修方法であって、切断予定位置の近くに、切断前から再接続終了までの間、切断部位相互の垂直方向及び水平方向へのずれを防止するための支持装置を設けて、切断時、切断された連絡橋の移動時、再接続時の何れにおいても、切断部位相互の垂直方向及び水平方向へのずれを防止できるようにしたことを特徴とする請求項１に記載の建造物間の距離が変化した連絡橋の切断改修方法。
【請求項３】
建造物間に架設された複数本の橋桁用大梁鉄骨と、これらの大梁鉄骨に支持された通路用のコンクリート床とを備えた連絡橋を切断し、切断された連絡橋を長さ方向に移動させた後、再接続して、連絡橋の長さを短縮する連絡橋の切断改修方法であって、切断予定位置のコンクリート床を通路の幅方向中央部側コンクリート床が残された状態にはつり取って、大梁鉄骨の上フランジを露出させ、各々の大梁鉄骨における切断予定位置の両側に位置する上フランジ間にわたって振れ止めを取り付け、且つ、各々の大梁鉄骨における切断予定位置の両側部を連絡橋の下方に設置した仮受構台に仮受ジャッキを介して支持させ、この状態で大梁鉄骨を所定幅にわたって切断除去する一方、切断位置の両側に位置する大梁鉄骨のウエブ間にわたってガイドプレートを取り付け、且つ、切断位置の両側に位置する大梁鉄骨同士を横力保持用の水平ジャッキで連結した状態で、前記中央部側コンクリート床をはつり取り、水平ジャッキの除荷後、水平ジャッキの盛り替えを行って、切断された大梁鉄骨同士の引寄せを行い、ガイドプレートの撤去後、切断位置の両側に位置する大梁鉄骨のウエブ同士をスプライスプレートを介してボルト連結すると共に、水平ジャッキを撤去し、切断位置の両側に位置する大梁鉄骨の上，下フランジの溶接後、前記振れ止めを撤去し、しかる後、配筋、コンクリート打設を行って、コンクリート床の切断部位の復旧を行うことを特徴とする建造物間の距離が変化した連絡橋の切断改修方法。
【請求項４】
建造物間に架設された複数本の橋桁用大梁鉄骨と、これらの大梁鉄骨に支持された通路用のコンクリート床とを備えた連絡橋を切断し、切断された連絡橋を長さ方向に移動させた後、再接続して、連絡橋の長さを伸長する連絡橋の切断改修方法であって、切断予定位置のコンクリート床を通路の幅方向中央部側コンクリート床が残された状態にはつり取って、大梁鉄骨の上フランジを露出させ、各々の大梁鉄骨における切断予定位置の両側に位置する上フランジ間にわたって振れ止めを取り付け、且つ、各々の大梁鉄骨における切断予定位置の両側部を連絡橋の下方に設置した仮受構台に仮受ジャッキを介して支持させ、この状態で大梁鉄骨を切断する一方、切断位置の両側に位置する大梁鉄骨のウエブ間にわたってガイドプレートを取り付け、且つ、切断位置の両側に位置する大梁鉄骨同士を引き離し用の水平ジャッキで連結した状態で、前記中央部側コンクリート床をはつり取り、水平ジャッキの除荷後、水平ジャッキの盛り替えを行って、切断された大梁鉄骨同士の引離しを行い、引き離された大梁鉄骨間に断面Ｔ字状の継足し用大梁材を挿入した後、ガイドプレートを撤去し、継足し用大梁材のウエブとその両側に位置する大梁鉄骨のウエブとをスプライスプレートを介してボルト連結した後、水平ジャッキを撤去し、継足し用大梁材の上フランジとその両側に位置する大梁鉄骨の上フランジとを溶接すると共に、継足し用大梁材のウエブ下端に溶接した下フランジとその両側に位置する大梁鉄骨の下フランジとを溶接した後、前記振れ止めを撤去し、しかる後、配筋、コンクリート打設を行って、コンクリート床の切断部位の復旧を行うことを特徴とする建造物間の距離が変化した連絡橋
の切断改修方法。
【発明の詳細な説明】
【技術分野】
【０００１】
本発明は、不同沈下等によって建造物間の距離が変化した連絡橋の切断改修方法に関する。
【背景技術】
【０００２】
例えば、埋立による人工島に建設された空港等においては、地盤の不同沈下が発生することを想定し、建造物は、特許文献１，２等に見られるように、ジャッキアップによって沈下修正ができる構造となっている。しかし、互いに離れた場所に建設されている二つの建造物の不同沈下の状況によっては、建造物のジャッキアップによる沈下修正を行っても、建造物間の距離が短くなったり、逆に長くなったりすることがある。
【０００３】
そのため、このような建造物間に建設される連絡橋には、その一端側にエキスパンションジョイントが設けられているが、建造物間の距離の変化がエキスパンションジョイントによるクリアランスの許容範囲を超えると、連絡橋としての健全な状態を保てないので、何らかの改修工事が必要となる。
【０００４】
この改修工事の方法としては、橋桁を切断し、切り離された橋桁を引き寄せ、切断面を再接続して、連絡橋の長さを縮めるたり、あるいは、逆に、切り離された橋桁を引き離した後、切断面の間に橋桁部材を追加して、連絡橋の長さを伸ばす連絡橋の切断改修方法が考えられる。
【０００５】
この連絡橋の切断改修方法は、連絡橋全体を架け替える場合に比して、工期、工費の両面で極めて有利である。しかしながら、連絡橋の切断改修方法においては、橋桁の大梁を切断した状態で、地震が発生した場合の安全確保が考慮されなければならない。また、切断した橋桁の引寄せ、あるいは、引離しを行うにあたっては、切断面が相互に垂直方向にも水平方向にもずれないように引き寄せる、あるいは、引き離す必要がある。
【０００６】
【特許文献１】特開平０７−３２４３４７号公報
【特許文献２】特開２００５−１４６５８５号公報
【発明の開示】
【発明が解決しようとする課題】
【０００７】
本発明は、上記の点に留意してなされたものであって、その目的とするところは、工事中に地震が発生しても安全を確保できる連絡橋の切断改修方法を提供することにある。
【課題を解決するための手段】
【０００８】
上記の目的を達成するために本発明が講じた技術的手段は、次のとおりである。即ち、請求項１に記載の発明は、建造物間に架設された連絡橋を切断し、切断された連絡橋を長さ方向に移動させた後、再接続して、連絡橋の長さを修正する連絡橋の切断改修方法であって、切断された状態においても切断前と略同等な強度を維持できるように、連絡橋の切断予定位置の近くを支持しつつ切断から再接続までの工程を行うことを特徴としている。
【０００９】
請求項２に記載の発明は、請求項１に記載の建造物間の距離が変化した連絡橋の切断改修方法であって、切断予定位置の近くに、切断前から再接続終了までの間、切断部位相互の垂直方向及び水平方向へのずれを防止するための支持装置を設けて、切断時、切断された連絡橋の移動時、再接続時の何れにおいても、切断部位相互の垂直方向及び水平方向へのずれを防止できるようにしたことを特徴としている。
【００１０】
尚、請求項１、２に記載の発明において、連絡橋としては、鉄骨造、鉄骨鉄筋コンクリート造、鉄筋コンクリート造の何れであってもよい。
【００１１】
請求項３、４に記載の発明は、何れも、鉄骨鉄筋コンクリート造の連絡橋を対象としており、請求項３に記載の発明は、建造物間に架設された複数本の橋桁用大梁鉄骨と、これらの大梁鉄骨に支持された通路用のコンクリート床とを備えた連絡橋を切断し、切断された連絡橋を長さ方向に移動させた後、再接続して、連絡橋の長さを短縮する連絡橋の切断改修方法であって、切断予定位置のコンクリート床を通路の幅方向中央部側コンクリート床が残された状態にはつり取って、大梁鉄骨の上フランジを露出させ、各々の大梁鉄骨における切断予定位置の両側に位置する上フランジ間にわたって振れ止めを取り付け、且つ、各々の大梁鉄骨における切断予定位置の両側部を連絡橋の下方に設置した仮受構台に仮受ジャッキを介して支持させ、この状態で大梁鉄骨を所定幅にわたって切断除去する一方、切断位置の両側に位置する大梁鉄骨のウエブ間にわたってガイドプレートを取り付け、且つ、切断位置の両側に位置する大梁鉄骨同士を横力保持用の水平ジャッキで連結した状態で、残しておいた前記中央部側コンクリート床をはつり取り、水平ジャッキの除荷後、水平ジャッキの盛り替えを行って、切断された大梁鉄骨同士の引寄せを行い、ガイドプレートの撤去後、切断位置の両側に位置する大梁鉄骨のウエブ同士をスプライスプレートを介してボルト連結すると共に、水平ジャッキを撤去し、切断位置の両側に位置する大梁鉄骨の上，下フランジの溶接後、前記振れ止めを撤去し、しかる後、配筋、コンクリート打設を行って、コンクリート床の切断部位の復旧を行うことを特徴としている。
【００１２】
請求項４に記載の発明は、建造物間に架設された複数本の橋桁用大梁鉄骨と、これらの大梁鉄骨に支持された通路用のコンクリート床とを備えた連絡橋を切断し、切断された連絡橋を長さ方向に移動させた後、再接続して、連絡橋の長さを伸長する連絡橋の切断改修方法であって、切断予定位置のコンクリート床を通路の幅方向中央部側コンクリート床が残された状態にはつり取って、大梁鉄骨の上フランジを露出させ、各々の大梁鉄骨における切断予定位置の両側に位置する上フランジ間にわたって振れ止めを取り付け、且つ、各々の大梁鉄骨における切断予定位置の両側部を連絡橋の下方に設置した仮受構台に仮受ジャッキを介して支持させ、この状態で大梁鉄骨を切断する一方、切断位置の両側に位置する大梁鉄骨のウエブ間にわたってガイドプレートを取り付け、且つ、切断位置の両側に位置する大梁鉄骨同士を引き離し用の水平ジャッキで連結した状態で、残しておいた前記中央部側コンクリート床をはつり取り、水平ジャッキの除荷後、水平ジャッキの盛り替えを行って、切断された大梁鉄骨同士の引離しを行い、引き離された大梁鉄骨間に断面Ｔ字状の継足し用大梁材を挿入した後、ガイドプレートを撤去し、継足し用大梁材のウエブとその両側に位置する大梁鉄骨のウエブとをスプライスプレートを介してボルト連結した後、水平ジャッキを撤去し、継足し用大梁材の上フランジとその両側に位置する大梁鉄骨の上フランジとを溶接すると共に、継足し用大梁材のウエブ下端に溶接した下フランジとその両側に位置する大梁鉄骨の下フランジとを溶接した後、前記振れ止めを撤去し、しかる後、配筋、コンクリート打設を行って、コンクリート床の切断部位の復旧を行うことを特徴としている。
【発明の効果】
【００１３】
請求項１に記載の発明によれば、切断された状態においても切断前と略同等な強度を維持できるように、の切断予定位置の近くを支持しつつ切断から再接続までの工程を行うので、工事中に地震が発生しても安全を確保できる。
【００１４】
請求項２に記載の発明によれば、切断予定位置の近くに、切断前から再接続終了までの間、切断部位相互の垂直方向及び水平方向へのずれを防止するための支持装置を設けたので、切断した連絡橋の引寄せ、あるいは、引離しを行うにあたって、切断面が相互に垂直
方向にも水平方向にもずれないように引き寄せる、あるいは、引き離すことができ、切断部の再接続を容易かつ高精度に行うことができる。
【００１５】
請求項３に記載の発明による連絡橋の切断改修方法によれば、不同沈下等によって建造物間の距離が短くなり、建造物間に架設された連絡橋の長さを短縮する必要が生じた場合、また、請求項４に記載の発明による連絡橋の切断改修方法によれば、不同沈下等によって建造物間の距離が長くなり、建造物間に架設された連絡橋の長さを伸長する必要が生じた場合、夫々、橋桁用大梁鉄骨の切断や通路用コンクリート床の切断に際し、仮設の振れ止め、ガイドプレート、水平ジャッキ等を取り付けることによって、想定する地震の範囲で水平力に対して常に連結された状態で工事を進めることができ、工事中に地震が発生しても安全を確保できるという効果がある。
【００１６】
即ち、請求項３に記載の発明による連絡橋の切断改修方法によれば、橋桁用大梁鉄骨における切断予定位置の両側部を連絡橋の下方に設置した仮受構台に仮受ジャッキを介して支持させるだけでなく、各大梁鉄骨における切断予定位置の両側に位置する上フランジ間にわたって振れ止めを取り付け、しかも、通路の幅方向中央部側コンクリート床を残した状態で、大梁鉄骨を切断するので、大梁鉄骨が所定幅にわたって切断除去されても、連絡橋は、中央部側コンクリート床と振れ止めとで水平方向に連結されていることになる。また、切断した大梁鉄骨の垂直方向のずれについては、仮受ジャッキでレベル調整することができる。
【００１７】
そして、前記中央部側コンクリート床をはつり取る前に、切断位置の両側に位置する大梁鉄骨のウエブ間にわたってガイドプレートを取り付け、且つ、切断位置の両側に位置する大梁鉄骨同士を横力保持用の水平ジャッキで連結するので、前記中央部側コンクリート床をはつり取っても、連絡橋は、振れ止めとガイドプレートと水平ジャッキで連結されていることになり、切断前の変形状態からの弾性復元による横力を水平ジャッキで受け止めることができ、切断した大梁鉄骨の水平方向（幅方向）のずれは、振れ止めとガイドプレートとによって防止することができる。
【００１８】
水平ジャッキの除荷後は、当該水平ジャッキを切断された大梁鉄骨同士の引寄せに用いる方向に盛り替えて、振れ止めとガイドプレートで連結された状態にある大梁鉄骨同士を引き寄せることになり、ガイドプレートの撤去後は、切断位置の両側に位置する大梁鉄骨のウエブ同士をスプライスプレートを介してボルト連結した後、水平ジャッキを撤去し、切断位置の両側に位置する大梁鉄骨の上，下フランジの溶接後、振れ止めを撤去するので、常に連結された状態で工事が進められることになる。従って、工事中に地震が発生しても安全を確保でき、しかも、切断した大梁鉄骨の引寄せを行うにあたって、切断面が相互に垂直方向にも水平方向にもずれないように引き寄せることができ、切断部の再接続を容易かつ高精度に行うことができる。
【００１９】
請求項２に記載の発明による連絡橋の切断改修方法によれば、橋桁用大梁鉄骨における切断予定位置の両側部を連絡橋の下方に設置した仮受構台に仮受ジャッキを介して支持させるだけでなく、各大梁鉄骨における切断予定位置の両側に位置する上フランジ間にわたって振れ止めを取り付け、しかも、通路の幅方向中央部側コンクリート床を残した状態で、大梁鉄骨を切断するので、大梁鉄骨が切断されても、連絡橋は、中央部側コンクリート床と振れ止めとで水平方向に連結されていることになる。また、切断した大梁鉄骨の垂直方向のずれについては、仮受ジャッキでレベル調整することができる。
【００２０】
そして、前記中央部側コンクリート床をはつり取る前に、切断位置の両側に位置する大梁鉄骨のウエブにガイドプレートを取り付け、且つ、切断位置の両側に位置する大梁鉄骨同士を引き離し用の水平ジャッキで連結するので、前記中央部側コンクリート床をはつり
取っても、連絡橋は、振れ止めとガイドプレートと水平ジャッキで連結されていることになり、切断前の変形状態からの弾性復元による引張力を水平ジャッキで受け止めることができ、切断した大梁鉄骨の水平方向（幅方向）のずれは、振れ止めとガイドプレートとによって防止することができる。
【００２１】
水平ジャッキの除荷後は、当該水平ジャッキを切断された大梁鉄骨同士の引離しに用いる方向に盛り替えて、振れ止めとガイドプレートで連結された状態にある大梁鉄骨同士を引き離すことになり、引き離された大梁鉄骨間に断面Ｔ字状の継足し用大梁材を挿入した後、ガイドプレートを撤去し、継足し用大梁材のウエブとその両側に位置する大梁鉄骨のウエブとをスプライスプレートを介してボルト連結した後、水平ジャッキを撤去し、継足し用大梁材の上フランジとその両側に位置する大梁鉄骨の上フランジとを溶接すると共に、継足し用大梁材のウエブ下端に溶接した下フランジとその両側に位置する大梁鉄骨の下フランジとを溶接した後、振れ止めを撤去するので、常に連結された状態で工事が進められることになる。従って、工事中に地震が発生しても安全を確保でき、しかも、切断した大梁鉄骨の引離しを行うにあたって、切断面が相互に垂直方向にも水平方向にもずれないように引き離すことができ、切断部の再接続を容易かつ高精度に行うことができる。
【発明を実施するための最良の形態】
【００２２】
以下、本発明の実施形態を図面に基づいて説明する。図１のＡは、埋立による人工島に建設された二つの建造物Ｂ，Ｃ間に架設された連絡橋を示す。不同沈下によって建造物Ｂの位置が建造物Ｃ側にずれて、建造物Ｂ，Ｃ間の距離が短くなり、その結果、連絡橋Ａの中間部を支持する中柱Ｄが建造物Ｃ側にやや傾いている。Ｐは切断予定位置を示す。
【００２３】
連絡橋Ａは、ＳＲＣ造であり、図２（Ａ），（Ｂ）に示すように、建造物Ｂ，Ｃ間に架設された２本の橋桁用大梁鉄骨１と、これらの大梁鉄骨１に小梁鉄骨２を介して支持された通路用のコンクリート床３と、大梁鉄骨１に立設した柱４で支持された屋根５とを備えている。また、通路用のコンクリート床３の両側には、大梁鉄骨１から外側へ片持ち状に跳ね出したコンクリート溝６が設けられており、各コンクリート溝６にはムービングウォーク（動く歩道）７が設置されている。８は手摺である。
【００２４】
上記の連絡橋ＡをＰの位置で所定幅だけ切断除去し、切断された橋桁用大梁鉄骨１を引き寄せて、切断面を再接続することにより、連絡橋Ａの長さを縮めるにあたって、切断された状態においても切断前と略同等な強度を維持できるように、連絡橋Ａの切断予定位置Ｐの近くを、後述する仮受ジャッキ１６、振れ止め１４、ガイドプレート１８、水平ジャッキ１９等からなる支持装置で支持しつつ切断から再接続までの工程を行う切断改修方法が採用されている。以下に、その切断改修方法を具体的に説明する。
【００２５】
先ず、図２（Ａ），（Ｂ）に示すように、コンクリート床３の仕上材とムービングウォーク７を撤去すると共に、高所作業車（図示せず）を用いて、軒天パネル９を必要範囲だけ撤去する。
【００２６】
次に、図３（Ａ），（Ｂ）に示すように、切断予定位置Ｐ近くの大梁鉄骨１間に補強用の小梁鉄骨２ａを新設する。１０は小梁鉄骨２ａ取付け用のガセットプレート、１１は高所作業車上に搬入された小梁鉄骨２ａを吊り上げて仮支持する電動チェーンブロックであり、コンクリート床３の所定位置には、予め適当な時点で電動チェーンブロックによる吊り金具を挿通するための貫通孔を穿設しておくものとする。１２は電動チェーンブロック１１を支持する枠組足場である。
【００２７】
次いで、図４（Ａ），（Ｂ）に示すように、連絡橋Ａの下方に仮受構台Ｅを設置した後、図５（Ａ），（Ｂ）に示すように、仮受構台Ｅの周囲に枠組足場Ｆを組み立てる一方、
切断予定位置Ｐの上方の屋根及び壁面仕上材を撤去し、切断予定位置Ｐの上方の屋根鉄骨を切断する。Ｇは跳出し梁受支保工である。
【００２８】
しかる後、図６（Ａ），（Ｂ）に示すように、切断予定位置Ｐを含む小範囲の大梁鉄骨１直上のコンクリート床３とコンクリート溝６をはつり取って、大梁鉄骨１の上フランジ及びウエブを露出させ、通路の幅方向中央部側コンクリート床３ａははつらずに残しておく。この状態で、各大梁鉄骨１のウエブに対するボルト孔の加工、水平ジャッキ用ブラケット１３の取付けを行い、各大梁鉄骨１における切断予定位置Ｐの両側に位置する上フランジにわたって振れ止め１４を取り付ける。また、大梁鉄骨１にはムービングウォーク床受梁（復旧した後のコンクリート溝を支持する梁鉄骨）１５を取り付け、仮受構台Ｅには４台の仮受ジャッキ１６を据え付けて、各々の大梁鉄骨１における切断予定位置Ｐの両側部を支持させる。仮受ジャッキ１６の上部と大梁鉄骨１の下フランジ１ｃとの間には、テフロン（登録商標）、ナイロン等の滑り材１６ａを介在させてある。
【００２９】
前記振れ止め１４は、図１１、図１２に示すように、切断予定位置Ｐの片側に位置する上フランジ１ａの外側部に第一の水平鋼板１４ａを溶接し、切断予定位置Ｐの反対側に位置する上フランジ１ａの外側部には、切断予定位置Ｐを越えて第一の水平鋼板１４ａに重なり合う位置まで達する第二の水平鋼板１４ｂを溶接し、これらの水平鋼板１４ａ，１４ｂ同士を一定範囲内で橋桁長手方向にのみスライド自在にボルト連結して構成したものである。第一の水平鋼板１４ａには円形のボルト孔が形成されているが、第二の水平鋼板１４ｂには、大梁鉄骨１の切除幅に対応する長さの長孔１７が形成されている。図示しないが、前記両水平鋼板１４ａ，１４ｂ間、第二の水平鋼板１４ｂとナットの座金との間には、夫々、テフロン（登録商標）、ナイロン等の滑り材を介在させてある。
【００３０】
しかる後、図７（Ａ），（Ｂ）に示すように、通路の幅方向中央部側コンクリート床３ａを残したまま、大梁鉄骨１を所定幅（これは中柱Ｄを垂直姿勢に復元するに必要な距離でもあり、例えば、１５０ｍｍ程度である。）にわたって切断除去する一方、切断位置の両側に位置する大梁鉄骨１のウエブ１ｂの両面にウエブ接続用ボルト孔を利用してガイドプレート１８を取り付け、切断位置の両側に位置する水平ジャッキ用ブラケット１３間に、横力保持用の水平ジャッキ１９を取り付ける。
【００３１】
尚、水平ジャッキ１９としては、図１３〜図１６に示すように、軸芯部にねじ軸１９ａを貫通したセンターホールジャッキ用いられている。１９ｂはねじ軸１９ａ用のジョイントカプラーである。水平ジャッキ用ブラケット１３には、ねじ軸１９ａ挿通用の切欠部か形成され、ガセットプレート１０には、上下二箇所にジョイントカプラー１９ｂ挿通用の貫通孔１０ａが形成されている。
【００３２】
前記ガイドプレート１８は、図１１、図１２に示すように、ウエブ１ｂの両面を橋桁長手方向にのみスライド自在に挟持する一対の溝型鋼によって構成され、各溝型鋼の切断位置の片側に位置するウエブ１ｂとボルト連結する部分には、円形のボルト孔が形成され、切断位置の反対側に位置するウエブ１ｂと連結する部分には、大梁鉄骨１の切除幅に対応する長さの長孔２０が形成されている。図示しないが、座金と溝型鋼との間や溝型鋼とウエブ１ｂとの間には、夫々、テフロン（登録商標）、ナイロン等の滑り材を介在させてある。
【００３３】
図８（Ａ），（Ｂ）、図１３に示すように、切断位置の両側に位置する大梁鉄骨１同士を横力保持用の水平ジャッキ１９で連結した状態で、残しておいた前記中央部側コンクリート床３ａをはつり取る。中央部側コンクリート床３ａが無くなることによって、図１４に示すように、切断された大梁鉄骨１が切断前の変形状態から小距離（例えば、５０ｍｍ程度）弾性復元するので、この切断前の変形状態からの弾性復元による横力を水平ジャッ
キ１９で受け止める。
【００３４】
次に、水平ジャッキ１９の除荷後、図９（Ａ），（Ｂ）、図１５に示すように、水平ジャッキ１９を切断された大梁鉄骨１同士の引寄せに用いる方向に盛り替えて、水平ジャッキ１９を伸長動作させることにより、切断された大梁鉄骨１同士を引き寄せる。
【００３５】
そして、図１０（Ａ），（Ｂ）、図１６に示すように、ガイドプレート１８の撤去後、切断位置の両側に位置する大梁鉄骨１のウエブ１ｂ同士をスプライスプレート２１を介してボルト連結すると共に、水平ジャッキ１９を撤去し、切断位置の両側に位置する大梁鉄骨１の上，下フランジ１ａ，１ｃの溶接後、前記振れ止め１４を撤去する。
【００３６】
しかる後、仮受ジャッキ１６を撤去すると共に、図１７に示すように、はつり取った範囲の配筋（図示せず）、コンクリート３ｂ打設を行って、コンクリート床３やコンクリート溝の切断部位の復旧を行い、且つ、屋根・壁面復旧を行った後、枠組足場Ｆの解体、仮受構台Ｅの解体を行い、ムービングウォーク７等の設備の復旧、軒天パネル９の復旧を行うことになる。
【００３７】
上記の構成によれば、不同沈下等によって建造物Ｂ，Ｃ間の距離が短くなり、建造物Ｂ，Ｃ間に架設された連絡橋Ａの長さを短縮する必要が生じた場合、橋桁用大梁鉄骨１の切断や通路用コンクリート床３の切断に際し、仮設の振れ止め１４、ガイドプレート１８、水平ジャッキ１９等を取り付けることによって、想定する地震の範囲で水平力に対して常に連結された状態で工事を進めることができ、工事中に地震が発生しても安全を確保できる。
【００３８】
即ち、橋桁用大梁鉄骨１における切断予定位置Ｐの両側部を連絡橋Ａの下方に設置した仮受構台Ｅに仮受ジャッキ１６を介して支持させるだけでなく、各大梁鉄骨１における切断予定位置Ｐの両側に位置する上フランジ１ａ，１ａ間にわたって振れ止め１４を取り付け、しかも、通路の幅方向中央部側コンクリート床３ａを残した状態で、大梁鉄骨１を切断するので、大梁鉄骨１が所定幅にわたって切断除去されても、連絡橋Ａは、中央部側コンクリート床３ａと振れ止め１４とで水平方向に連結されていることになる。また、切断した大梁鉄骨１の垂直方向のずれについては、仮受ジャッキ１５でレベル調整することができる。
【００３９】
そして、前記中央部側コンクリート床３ａをはつり取る前に、切断位置の両側に位置する大梁鉄骨１のウエブ１ｂ間にわたってガイドプレート１８を取り付け、且つ、切断位置の両側に位置する大梁鉄骨１同士を横力保持用の水平ジャッキ１９で連結するので、前記中央部側コンクリート床３ａをはつり取っても、連絡橋Ａは、振れ止め１４とガイドプレート１８と水平ジャッキ１９で連結されていることになり、切断前の変形状態からの弾性復元による横力を水平ジャッキ１９で受け止めることができ、切断した大梁鉄骨１の水平方向（幅方向）のずれは、振れ止め１４とガイドプレート１８とによって防止することができる。
【００４０】
水平ジャッキ１９の除荷後は、当該水平ジャッキ１９を切断された大梁鉄骨１同士の引寄せに用いる方向に盛り替えて、振れ止め１４とガイドプレート１８で連結された状態にある大梁鉄骨１同士を引き寄せることになり、ガイドプレート１８の撤去後は、切断位置の両側に位置する大梁鉄骨１のウエブ１ｂ同士を一対のスプライスプレート２１を介してボルト連結した後、水平ジャッキ１９を撤去し、切断位置の両側に位置する大梁鉄骨１の上，下フランジ１ａ，１ｃの溶接後、振れ止め１４を撤去するので、常に連結された状態で工事が進められることになる。
【００４１】
従って、工事中に地震が発生しても安全を確保でき、しかも、切断した大梁鉄骨１の引寄せを行うにあたって、切断面が相互に垂直方向にも水平方向にもずれないように引き寄せることができ、切断部の再接続を容易かつ高精度に行うことができる。
【００４２】
以上の実施形態では、不同沈下によって建造物Ｂ，Ｃ間の距離が短くなった場合を例に挙げて本発明を説明したが、本発明は、上記とは逆に、不同沈下によって建造物Ｂ，Ｃ間の距離が長くなり、建造物Ｂ，Ｃ間に架設された連絡橋Ａの長さを伸長する必要が生じた場合にも、適用可能である。
【００４３】
以下は、その場合の実施形態を示す。尚、図２（Ａ），（Ｂ）〜図６（Ａ），（Ｂ）までの施工手順は、建造物Ｂ，Ｃ間の距離が短くなった場合の施工手順と同じであるから、図示説明を省略する。また、図１８〜図２２に示すように、この実施形態において用いられる振れ止め１４やガイドプレート１８は、図１１〜図１５で示した振れ止め１４やガイドプレート１８と実質的に同じ構成であるが、図１１〜図１５の例では、長孔１７、２０が切断された大梁鉄骨１同士を引き寄せる際の大梁鉄骨１の移動を可能にするためのものであるのに対し、図１８〜図２２の例では、長孔１７、２０が切断された大梁鉄骨１同士を引き離す際の大梁鉄骨１の移動を可能にするためのものである点でのみ相違している。
【００４４】
図６（Ａ），（Ｂ）の工程の後、図２０に示すように、通路の幅方向中央部側コンクリート床３ａを残したまま、大梁鉄骨１を切断予定位置Ｐで切断する一方、切断位置の両側に位置する大梁鉄骨１のウエブ１ｂの両面にウエブ接続用ボルト孔を利用してガイドプレート１８を取り付け、切断位置の両側に位置する水平ジャッキ用ブラケット１３間にわたって、引き離し用の水平ジャッキ（センターホールジャッキ）１９を取り付ける。具体的には、切断位置の片側のブラケット１３に水平ジャッキ１９を取り付け、水平ジャッキ１９の軸芯を貫通するねじ軸の一端部を切断位置の反対側のブラケット１３に固定して、切断された大梁鉄骨１同士が離れる方向に移動するのを阻止するように水平ジャッキ１９を据え付ける。
【００４５】
しかる後、図２１に示すように、切断位置の両側に位置する大梁鉄骨１同士を引き離し用の水平ジャッキ１９で連結した状態で、残しておいた前記中央部側コンクリート床３ａをはつり取る。中央部側コンクリート床３ａが無くなることによって、切断された大梁鉄骨１が切断前の変形状態から小距離（例えば、５０ｍｍ程度）弾性復元するので、この切断前の変形状態からの弾性復元による引張力を水平ジャッキ１９で受け止めることができ、切断した大梁鉄骨１の水平方向（幅方向）のずれは、振れ止め１４とガイドプレート１８とによって防止することができる。
【００４６】
次に、水平ジャッキ１９の除荷後、図２２に示すように、水平ジャッキ１９を切断された大梁鉄骨１同士の引き離しに用いる方向に盛り替えて、水平ジャッキ１９を伸長動作させることにより、切断された大梁鉄骨１同士の引き離しを行う。そして、引き離された大梁鉄骨１間に断面Ｔ字状の継足し用大梁材１Ａを挿入した後、ガイドプレート１８を撤去する。
【００４７】
この状態で、図２３に示すように、継足し用大梁材１Ａのウエブ１Ａｂとその両側に位置する大梁鉄骨１のウエブ１ｂとを二対のスプライスプレート２１を介してボルト連結した後、水平ジャッキ１９を撤去し、継足し用大梁材１Ａの上フランジ１Ａａとその両側に位置する大梁鉄骨１の上フランジ１ａとを溶接すると共に、継足し用大梁材１Ａのウエブ１Ａｂ下端に現場溶接した下フランジ１Ａｃとその両側に位置する大梁鉄骨１の下フランジ１ｃとを溶接した後、前記振れ止め１４を撤去する。
【００４８】
しかる後、仮受ジャッキ１６を撤去すると共に、図２４に示すように、はつり取った範
囲の配筋（図示せず）、コンクリート３ｂ打設を行って、コンクリート床３やコンクリート溝の切断部位の復旧を行い、且つ、屋根・壁面復旧を行った後、枠組足場Ｆの解体、仮受構台Ｅの解体を行い、ムービングウォーク７等の設備の復旧、軒天パネル９の復旧を行うことになる。
【００４９】
上記の構成によれば、不同沈下等によって建造物Ｂ，Ｃ間の距離が長くなり、建造物Ｂ，Ｃ間に架設された連絡橋Ａの長さを伸長する必要が生じた場合、橋桁用大梁鉄骨１の切断や通路用コンクリート床３の切断に際し、仮設の振れ止め１４、ガイドプレート１８、水平ジャッキ１９等を取り付けることによって、想定する地震の範囲で水平力に対して常に連結された状態で工事を進めることができ、工事中に地震が発生しても安全を確保できる。
【００５０】
即ち、橋桁用大梁鉄骨１における切断予定位置Ｐの両側部を連絡橋Ａの下方に設置した仮受構台Ｅに仮受ジャッキ１６を介して支持させるだけでなく、各大梁鉄骨１における切断予定位置の両側に位置する上フランジ１ａ，１ａ間にわたって振れ止め１４を取り付け、しかも、通路の幅方向中央部側コンクリート床３ａを残した状態で、大梁鉄骨１を切断するので、大梁鉄骨１が切断されても、連絡橋Ａは、中央部側コンクリート床３ａと振れ止め１４とで水平方向に連結されていることになる。また、切断した大梁鉄骨１の垂直方向のずれについては、仮受ジャッキ１５でレベル調整することができる。
【００５１】
そして、前記中央部側コンクリート床３ａをはつり取る前に、切断位置の両側に位置する大梁鉄骨１のウエブ１ｂ間にわたってガイドプレート１８を取り付け、且つ、切断位置の両側に位置する大梁鉄骨１同士を引き離し用の水平ジャッキ１９で連結するので、前記中央部側コンクリート床３ａをはつり取っても、連絡橋Ａは、振れ止め１４とガイドプレート１８と水平ジャッキ１９で連結されていることになり、切断前の変形状態からの弾性復元による引張力を水平ジャッキ１９で受け止めることができる。
【００５２】
水平ジャッキ１９の除荷後は、当該水平ジャッキ１９を切断された大梁鉄骨１同士の引き離しに用いる方向に盛り替えて、振れ止め１４とガイドプレート１８で連結された状態にある大梁鉄骨１同士を引き離すことになり、引き離された大梁鉄骨１間に断面Ｔ字状の継足し用大梁材１Ａを挿入した後、ガイドプレート１８を撤去し、継足し用大梁材１Ａのウエブ１Ａｂとその両側に位置する大梁鉄骨１のウエブ１ｂとをスプライスプレート２１を介してボルト連結した後、水平ジャッキ１９を撤去し、継足し用大梁材１Ａの上フランジ１Ａａとその両側に位置する大梁鉄骨１の上フランジ１ａとを溶接すると共に、継足し用大梁材１Ａのウエブ１Ａｂ下端に溶接した下フランジ１Ａｃとその両側に位置する大梁鉄骨１の下フランジ１ｃとを溶接した後、振れ止め１４を撤去するので、常に連結された状態で工事が進められることになる。
【００５３】
従って、工事中に地震が発生しても安全を確保でき、しかも、切断した大梁鉄骨１の引離しを行うにあたって、切断面が相互に垂直方向にも水平方向にもずれないように引き離すことができ、切断部の再接続を容易かつ高精度に行うことができる。
【００５４】
以上、本発明の実施形態について説明したが、本発明は上記の実施形態のみに限定されるものではなく、例えば、ＲＣ造の連絡橋を施工対象とするなど、本発明の要旨を逸脱しない範囲において、種々なる態様で実施し得ることは勿論である。
【図面の簡単な説明】
【００５５】
【図１】本発明の実施形態を示す連絡橋の概略側面図である。
【図２】本発明に係る連絡橋の切断改修方法の施工手順を示し、（Ａ）は縦断正面図、（Ｂ）は縦断側面図である。
【図３】図２に続く施工手順を示し、（Ａ）は縦断正面図、（Ｂ）は縦断側面図である。
【図４】図３に続く施工手順を示し、（Ａ）は縦断正面図、（Ｂ）は縦断側面図である。
【図５】図４に続く施工手順を示し、（Ａ）は縦断正面図、（Ｂ）は縦断側面図である。
【図６】図５に続く施工手順を示し、（Ａ）は縦断正面図、（Ｂ）は縦断側面図である。
【図７】図６に続く施工手順を示し、（Ａ）は縦断正面図、（Ｂ）は縦断側面図である。
【図８】図７に続く施工手順を示し、（Ａ）は縦断正面図、（Ｂ）は縦断側面図である。
【図９】図８に続く施工手順を示し、（Ａ）は縦断正面図、（Ｂ）は縦断側面図である。
【図１０】図９に続く施工手順を示し、（Ａ）は縦断正面図、（Ｂ）は縦断側面図である。
【図１１】振れ止めとガイドプレートの構成を説明する要部の平面図である。
【図１２】振れ止めとガイドプレートの構成を説明する要部の縦断正面図である。
【図１３】中央部側コンクリート床をはつり取る直前における要部の側面図である。
【図１４】中央部側コンクリート床のはつり取り直後における要部の側面図である。
【図１５】水平引き寄せを行った状態における要部の側面図である。
【図１６】引き寄せられた大梁鉄骨のウエブをボルト連結した状態における要部の側面図である。
【図１７】再接続を完了した状態における要部の側面図である。
【図１８】本発明の他の実施形態を示し、振れ止めとガイドプレートの構成を説明する要部の平面図である。
【図１９】振れ止めとガイドプレートの構成を説明する要部の縦断正面図である。
【図２０】中央部側コンクリート床をはつり取る直前における要部の側面図である。
【図２１】水平引き離しを行った状態における要部の側面図である。
【図２２】引き離された大梁鉄骨間に継足し用大梁材を挿入する状態における要部の側面図である。
【図２３】引き離された大梁鉄骨と継足し用大梁材をボルト連結及び溶接した状態における要部の側面図である。
【図２４】再接続を完了した状態における要部の側面図である。
【符号の説明】
【００５６】
Ａ  連絡橋
Ｂ，Ｃ  建造物
Ｅ  仮受構台
１  橋桁用大梁鉄骨
３  コンクリート床
３ａ  中央部側コンクリート床
１４  振れ止め
１６  仮受ジャッキ
１８  ガイドプレート
１９  水平ジャッキ（センターホールジャッキ）
【図１】
2008169552.tif 000003
【図２】
2008169552.tif 000004
【図３】
2008169552.tif 000005
【図４】
2008169552.tif 000006
【図５】
2008169552.tif 000007
【図６】
2008169552.tif 000008
【図７】
2008169552.tif 000009
【図８】
2008169552.tif 000010
【図９】
2008169552.tif 000011
【図１０】
2008169552.tif 000012
【図１１】
2008169552.tif 000013
【図１２】
2008169552.tif 000014
【図１３】
2008169552.tif 000015
【図１４】
2008169552.tif 000016
【図１５】
2008169552.tif 000017
【図１６】
2008169552.tif 000018
【図１７】
2008169552.tif 000019
【図１８】
2008169552.tif 000020
【図１９】
2008169552.tif 000021
【図２０】
2008169552.tif 000022
【図２１】
2008169552.tif 000023
【図２２】
2008169552.tif 000024
【図２３】
2008169552.tif 000025
【図２４】
2008169552.tif 000026